(57)【特許請求の範囲】
【請求項１】
浴槽本体の上縁部から略水平方向に延出されるフランジ部の洗い場側端部から垂下される垂下片の裏面と、前記フランジ部の下面の前記垂下片よりも前記浴槽本体側の部分に取付けられるエプロン受け駒と、の間に、エプロンの上端部が挿入されて取付けられるエプロン取付構造に用いられる前記エプロン受け駒の取付構造であって、前記エプロン受け駒が前記フランジ部の下面の正規位置に取付けられるための位置ガイド部が前記フランジ部に設けられ、
前記エプロン受け駒が前記フランジ部の下面の前記正規位置に正規向きで取付けられる場合に干渉せず、前記エプロン受け駒が前記正規位置に前記正規向き以外の向きで取付けられようとすると干渉する向き誤り防止部が設けられ、
前記位置ガイド部は、前記エプロン受け駒が前記正規位置から洗い場又は前記浴槽本体側にずれて取付けられないようにガイドする前後ガイド部と、前記フランジ部の下面の前記正規位置の前記フランジ部の洗い場側の辺に沿う左右方向の両側にそれぞれ形成される側凸部からなり、前記エプロン受け駒が前記正規位置から前記左右方向にずれて取付けられないようにガイドする左右ガイド部と、で構成され、
前記向き誤り防止部は、前記エプロン受け駒に設けられ、前記エプロン受け駒が前記正規位置に前記正規向きで位置しているときに前記左右ガイド部の前記浴槽本体側の側端面に対向して位置し、前記エプロン受け駒が前記正規位置に前記正規向きと反対の向きで位置しているときに前記左右ガイド部と干渉する向き誤り防止凸部であることを特徴とするエプロン受け駒の取付構造。
【発明の詳細な説明】
【技術分野】
【０００１】
本発明は、エプロン受け駒の取付構造に関するものである。
【背景技術】
【０００２】
従来から、エプロンを浴槽の垂下片と浴槽リブとの間に取付けるため、エプロン受け駒を用いるものが知られている（例えば特許文献１参照）。
【先行技術文献】
【特許文献】
【０００３】
【特許文献１】特開２００９−２０１６１６号公報
【発明の概要】
【発明が解決しようとする課題】
【０００４】
ところで特許文献１に記載された従来のエプロンの取付構造では、浴槽のフランジ部の下面の所定の位置（正規位置）にエプロン受け駒を取付けるために、位置だしをしなければならなかった。そのため、取付作業に多大な時間を要し、作業が煩雑になってしまっていた。
【０００５】
本発明は上記従来の問題点に鑑みて発明したものであって、その目的とするところは、容易に且つエプロン受け駒を正規位置に正確に取付けることのできる構造を提供することを課題とするものである。
【課題を解決するための手段】
【０００６】
上記課題を解決するために、本発明は、以下のような構成とする。
【０００７】
エプロン受け駒の取付構造は、浴槽本体の上縁部から略水平方向に延出されるフランジ部の洗い場側端部から垂下される垂下片の裏面と、前記フランジ部の下面の前記垂下片よりも前記浴槽本体側の部分に取付けられるエプロン受け駒と、の間に、エプロンの上端部が挿入されて取付けられるエプロン取付構造に用いられる前記エプロン受け駒の取付構造であって、前記エプロン受け駒が前記フランジ部の下面の正規位置に取付けられるための位置ガイド部が前記フランジ部に設けられ、前記エプロン受け駒が前記フランジ部の下面の前記正規位置に正規向きで取付けられる場合に干渉せず、前記エプロン受け駒が前記正規位置に前記正規向き以外の向きで取付けられようとすると干渉する向き誤り防止部が設けられ、前記位置ガイド部は、前記エプロン受け駒が前記正規位置から洗い場又は前記浴槽本体側にずれて取付けられないようにガイドする前後ガイド部と、前記フランジ部の下面の前記正規位置の前記フランジ部の洗い場側の辺に沿う左右方向の両側にそれぞれ形成される側凸部からなり、前記エプロン受け駒が前記正規位置から前記左右方向にずれて取付けられないようにガイドする左右ガイド部と、で構成され、前記向き誤り防止部は、前記エプロン受け駒に設けられ、前記エプロン受け駒が前記正規位置に前記正規向きで位置しているときに前記左右ガイド部の前記浴槽本体側の側端面に対向して位置し、前記エプロン受け駒が前記正規位置に前記正規向きと反対の向きで位置しているときに前記左右ガイド部と干渉する向き誤り防止凸部であることを特徴とする。
【発明の効果】
【００１０】
本発明のエプロン受け駒の取付構造は、容易に且つエプロン受け駒を正規位置に正確に取付けることのできる。
【図面の簡単な説明】
【００１１】
【図１】本実施形態のエプロン受け駒の取付構造の斜視図である。
【図２】本実施形態の二重エプロンを取付けた際の断面図である。
【図３】（ａ）は本実施形態のエプロン受け駒の斜視図であり、（ｂ）は本実施形態のエプロン受け駒を上方から視た斜視図である。
【図４】本実施形態のフランジ部の下面にある、前後ガイド部と左右ガイド部の斜視図である。
【図５】本実施形態のエプロン受け駒の取付構造で、前後ガイド部の別形態を示した斜視図である。
【発明を実施するための形態】
【００１２】
以下、本発明を添付図面に示す実施形態に基いて説明する。
【００１３】
図２に示すように、浴槽４は、湯を溜めておく浴槽本体４１と、浴槽本体４１の上縁から略水平方向に延出されるフランジ部４３と、フランジ部４３の洗い場側端部から垂下される垂下片４２と、が備えられている。
【００１４】
ここで、洗い場側から浴槽本体４１側への方向を前方向、浴槽本体４１側から洗い場側への方向を後方向とする。また洗い場側から浴槽本体４１側の方向を向いての左側を左方向とし、右側を右方向とする。
【００１５】
フランジ部４３の下面の前記垂下片４２よりも浴槽本体４１側の部分で、接着剤を用いて取付けられるエプロン受け駒１と、垂下片４２の裏面と、の間にエプロン４４の上端部が挿入される。また、フランジ部４３の浴槽本体４１側の部分に形成される浴槽リブ４５と、エプロン受け駒１との間に内エプロン４６が挿入される。本実施形態は、エプロン４４と内エプロン４６の二重構造となっているが、内エプロン４６は任意の構成であり、設けられていなくても構わない。
【００１６】
図２に示すように、エプロン４４の上端部には、挟持バネ３が取付けられる。挟持バネ３には、板バネ３１と、板バネ３１の前面に接続された挿通部３２と、挿通部３２の前面に接続された押え部３３と、が備えられている。また、挿通部３２の径は押え部３３の径より小さく形成されている。板バネ３１は側面視略逆Ｖ字状をしたものである。エプロン４４の上端部において前後に貫通する挿通孔４４ａに、板バネ３１に固定された挿通部３２が挿通される。押え部３３はゴム等の弾性部材であり、挿通孔４４ａに押し込むようにして挿入することにより、挿通孔４４ａを挿通する。そして、エプロン４４の上端部は、挿通部３２の前端に取付けられている押え部３３と挿通部３２の後端に取付けられている板バネ３１とで、エプロン４４の上端を前方向と後方向とから挟持されている。なお、エプロン４４の形状はこれに限定されない。
【００１７】
図３（ａ）に示すように、エプロン受け駒１のフランジ部４３の下面へ取り付けられる部分は、平面視略矩形状をした取付部１１となっている。取付部１１のフランジ部４３長手方向における両端部から垂下される側片部１２は、側面視下方に向けて幅狭となっている。側片部１２の後方向の端部には、エプロン４４の前方向の面が当接する当接部１２ａが形成されている。また側片部１２の前方向の端部に、内エプロン４６がエプロン受け駒１と浴槽リブ４５との間に挿入される際のガイドとなるガイド部１２ｂが形成されている。また側片部１２の前方向端部には連結部１３が形成されている。
【００１８】
取付部１１の両端に設けられている側片部１２の間は、後方向に開放され挟持バネ３との干渉を避けるための逃げ凹所１４となっている。
【００１９】
また取付部１１の下面に、後述する前後ガイド部２１と係合の関係になる係合部１５が設けられている。係合部１５は凹状もしくは凸状となっている。
【００２０】
エプロン受け駒１は、フランジ部４３の下面の所定の位置（これを正規位置とする）に取付けられる。またエプロン受け駒１は、内エプロン４６をガイドするガイド部１２ｂとエプロン４４が当接する当接部１２ａが備えられており、これらは前後対称となっていない。また、逃げ凹所１４は後方向に向けて開口しなければ、挟持バネ３を逃がすことができない。これらのことから、取付ける向き（これを正規向きとする）が決まっている。
【００２１】
図１又は図４に示すように、前後ガイド部２１は、後述する左右ガイド部２２の間に設けられ、上述した係合部１５と凹状もしくは凸状で係合の関係になっている。前後ガイド部２１は、エプロン受け駒１がフランジ部４３の下面に取付けられる際、前後ガイド部２１に係合部１５が係合することにより、エプロン受け駒１の前後方向の動きが規制され、前後方向の位置決めが行われる。
【００２２】
また、前後ガイド部２１は図５に示すようにフランジ部４３の下面の正規位置よりも前側に下方に突出するように形成される内凸部２１ａと垂下片４２とから形成されていてもよい。内凸部２１ａと垂下片４２の間にエプロン受け駒１が挿入されることにより、エプロン受け駒１の前後方向の動きが規制され、前後方向の位置決めが行われる。
【００２３】
図１又は図４に示すように、左右ガイド部２２はフランジの下面に設けられている。本実施形態では、左右ガイド部２２は垂下片４２の裏側からフランジ部４３の下面に亘って、垂下片４２の裏側から前方向に行く程上方に向けて幅狭となるように突出する側凸部２２ａとなって設けられているが、これに限定されない。上述した側片部１２の内側面と左右ガイド部２２の外側面とが当接することにより、エプロン受け駒１の左右の位置決めが行われる。
【００２４】
位置ガイド部２は、上述した前後ガイド部２１と左右ガイド部２２を合わせたものからなる。
【００２５】
取付部１１の左右側面の前方向の端部に、エプロン受け駒１が正規位置に正規向き以外の向きで後述する左右ガイド部２２の間に挿入されると、左右ガイド部２２に干渉する向き誤り防止部１６が設けられている。本実施形態では向き誤り防止部１６は、エプロン受け駒１の左側面の前方向の端部では左方向に突出されている。またエプロン受け駒１の右側面の前方向の端部では右方向に突出される、矩形状をした向き誤り防止凸部１６ａが設けられている。なお、向き誤り防止部１６の形状は、これに限定されない。また、本実施形態では、向き誤り防止部１６はエプロン受け駒１に設けられているが、設けられる箇所はこれに限定されず、エプロン駒１が正規位置且つ正規向きに挿入されるものであればよい。
【００２６】
この向き誤り防止部１６が設けられていることにより、当接部１２ａとガイド部１２ｂにより前後の向きが決まるエプロン受け駒１が、正規位置且つ正規向きでしか取付できないようになる。従って、向き誤り防止部１６が設けられていることにより、エプロン受け駒１の誤った取付を防止することができる。
【００２７】
図３（ｂ）に示すように取付部１１の上面の後側に２ヶ所ある隅部に接着剤ポケット１７が設けられ、接着剤ポケット１７同士は接着剤ガイド溝１８により隣接されている。接着剤ポケット１７は、接着剤を塗布する際バラツキが生じ接着剤の塗り残しが生じ易くなるため、剥れる起点となり易い隅部に設けられる溝である。接着剤ガイド溝１８は、取付部１１上面に接着剤が行き渡るようにする溝である。接着剤ポケット１７と接着剤ガイド溝１８に沿って接着剤を塗布することにより、接着剤がバラツキ無く又剥れ難く塗布される。なお、接着剤ポケット１７や接着部ガイド溝１８の形状や数はこれに限定されない。
【００２８】
接着剤を使用するため、接着剤硬化後に接着剤がアンカー効果として働くように、本実施形態では図３（ａ）又は（ｂ）に示すような３つの擂鉢上の孔１９が形成されているが、数や形状はこれに限定されない。また、接着剤はアクリル系やシリコン系等あるがこれに限定されない。
【００２９】
これらの構成を取り入れることにより、エプロン受け駒１は従来のエプロン受け駒１より接着強度を増すことができる。
【００３０】
エプロン受け駒１とエプロン４４と内エプロン４６の浴槽４への取付に関して説明する。エプロン受け駒１は、前後方向では前後ガイド部２１と垂下片４２との間、左右方向では左右ガイド部２２の間、である正規位置に正規方向でフランジ部４３の下面に接着剤で接続される。エプロン４４は、挟持バネ３がエプロン４４の上端部に取付けられた状態で、フランジ部４３の下方から上方に向けて、エプロン受け駒１の当接面と垂下片４２の裏面との間の空間に挿入される。エプロン４４の上端部は、板バネ３１が設けられることによりエプロン受け駒１の当接部１２ａと垂下片４２との間で突っ張った状態でガタつきなく取付けられる。内エプロン４６の上端部をエプロン受け駒１のガイド部１２ｂに当接させつつ、エプロン受け駒１の前側と浴槽リブ４５との間の空間に内エプロン４６の上端部が挿入される。
【００３１】
以上のような構成とすることで、位置だしをすることなく、エプロン受け駒１をフランジ部４３の下面に取付けることができる。この構造は、冶具を使用しないので、冶具を新たに準備するコストを抑えることができる。また、エプロン受け駒１の取付位置を計測しないで済むため、計測に掛かる時間や労力を軽減することができる。
【符号の説明】
【００３２】
１    エプロン受け駒
１１  取付部
１２  側片部
１２ａ  当接部
１２ｂ  ガイド部
１３  連結部
１４  逃げ凹所
１５  係合部
１６  向き誤り防止部
１６ａ  向き誤り防止凸部
１７  接着剤ポケット
１８  接着剤ガイド溝
１９  孔
２    位置ガイド
２１  前後ガイド部
２２  左右ガイド部
３    挟持バネ
３１  板バネ
３２  挿通部
３３  押え部
４    浴槽
４１  浴槽本体
４２  垂下片
４３  フランジ部
【図１】
0005975383.tif 000002
【図２】
0005975383.tif 000003
【図３】
0005975383.tif 000004
【図４】
0005975383.tif 000005
【図５】
0005975383.tif 000006